(57)【要約】【課題】一度の撮像で異なる波長の光を露光した画像データの生成が可能な固体撮像装置を提供する。【解決手段】光を集光する複数のレンズと、前記複数のレンズを通過する光がそれぞれ照射され、異なる前記光の波長帯を透過させる透過パターンからなる複数の領域を有するフィルタ部と、前記フィルタ部を透過した光を電気信号に変換する画素がマトリクス状に配置され、前記画素の前記フィルタ部の側に前記透過パターンに対応するカラーフィルタを備えるイメージセンサと、を備える、固体撮像装置が提供される。【選択図】図１
2018182255.tif 000002
【特許請求の範囲】
【請求項１】
光を集光する複数のレンズと、
前記複数のレンズを通過する光がそれぞれ照射され、異なる前記光の波長帯を透過させる透過パターンからなる複数の領域を有するフィルタ部と、
前記フィルタ部を透過した光を電気信号に変換する画素がマトリクス状に配置され、前記画素の前記フィルタ部の側に前記透過パターンに対応するカラーフィルタを備えるイメージセンサと、
を備える、固体撮像装置。
【請求項２】
前記透過パターンは、それぞれ異なる波長帯を透過させるバンドパスフィルタの中から少なくとも１つが選択された、請求項１に記載の固体撮像装置。
【請求項３】
前記透過パターンは、それぞれ異なる波長帯を透過させるバンドパスフィルタの中から、波長帯が隣接しない２つのバンドパスフィルタが選択された、請求項２に記載の固体撮像装置。
【請求項４】
前記バンドパスフィルタが透過させる波長帯は、少なくとも５０ｎｍ刻みに設定される、請求項２に記載の固体撮像装置。
【請求項５】
前記カラーフィルタは、前記イメージセンサの各前記画素に対応して形成される、請求項１に記載の固体撮像装置。
【請求項６】
請求項１に記載の固体撮像装置を備える、情報処理装置。
【発明の詳細な説明】
【技術分野】
【０００１】
本開示は、固体撮像装置及び情報処理装置に関する。
【背景技術】
【０００２】
例えば特許文献１には、複数のレンズを備えた複眼方式のカメラモジュールに関する技術が開示されている。
【先行技術文献】
【特許文献】
【０００３】
【特許文献１】特開２００９−１６４６５４号公報
【発明の概要】
【発明が解決しようとする課題】
【０００４】
上記特許文献１に記載された複眼方式のカメラモジュールは被写体までの測距を目的としているものである。複数のレンズを備えることで、一度の撮像で複数の画像データを得ることが出来る。
【０００５】
そこで、本開示では、一度の撮像で異なる波長の光を露光した画像データの生成が可能な、新規かつ改良された固体撮像装置及び情報処理装置を提案する。
【課題を解決するための手段】
【０００６】
本開示によれば、光を集光する複数のレンズと、前記複数のレンズを通過する光がそれぞれ照射され、異なる前記光の波長帯を透過させる透過パターンからなる複数の領域を有するフィルタ部と、前記フィルタ部を透過した光を電気信号に変換する画素がマトリクス状に配置され、前記画素の前記フィルタ部の側に前記透過パターンに対応するカラーフィルタを備えるイメージセンサと、を備える、固体撮像装置が提供される。
【０００７】
また本開示によれば、上記固体撮像装置を備える、情報処理装置が提供される。
【発明の効果】
【０００８】
以上説明したように本開示によれば、一度の撮像で異なる波長の光を露光した画像データの生成が可能な、新規かつ改良された固体撮像装置及び情報処理装置を提供することが出来る。
【０００９】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１０】
【図１】本開示の実施の形態に係るセンサモジュールの外観例を示す意説明図である。
【図２】同実施の形態に係るセンサモジュールの内部構造を分解斜視図で示す説明図である。
【図３】イメージセンサの有効領域について示す説明図である。
【図４】光の三原色に対応した青、緑、赤のカラーフィルタの特性例と、同実施の形態に係るセンサモジュールで用いられるバンドパスフィルタの特性例と、をグラフで示す説明図である。
【図５】バンドパスフィルタの例を示す説明図である。
【図６】バンドパスフィルタの特性例を示す説明図である。
【図７】バンドパスフィルタの特性例を示す説明図である。
【図８】バンドパスフィルタの特性例を示す説明図である。
【図９】バンドパスフィルタの特性例を示す説明図である。
【図１０】同実施の形態に係るセンサモジュールが組み込まれた情報処理装置の機能構成例を示す説明図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．本開示の実施の形態
１．１．センサモジュールの外観例
１．２．センサモジュールの機能
１．３．センサモジュールを備えた装置の構成例
２．まとめ 
【００１３】
＜１．本開示の実施の形態＞
［１．１．センサモジュールの外観例］
まず、図面を参照しながら本開示の実施の形態に係るセンサモジュールの外観例について説明する。図１は、本開示の実施の形態に係るセンサモジュールの外観例を示す意説明図である。以下、図１を用いて本開示の実施の形態に係るセンサモジュールの外観例について説明する。
【００１４】
図１に示したセンサモジュール１００は、例えばスマートフォン、タブレット型端末、ゲーム機、携帯型音楽再生装置その他のユーザが携帯可能な機器に搭載されうるセンサモジュールである。図１に示したように、本開示の実施の形態に係るセンサモジュール１００は、ハウジング１１０と、リジッドフレキシブル基板１２０と、で構成される。ハウジング１１０の光が入射される面には、４つのレンズ１１１ａ〜１１１ｄが設けられている。なお本実施形態では、センサモジュール１００の４つのレンズが備えられている例を示したが、本開示は係る例に限定されるものでは無い。
【００１５】
センサモジュール１００は、後述するように、ハウジング１１０の内部にバンドパスフィルタを備えている。またリジッドフレキシブル基板１２０にはイメージセンサが形成される。そして本実施形態のセンサモジュール１００は、バンドパスフィルタを４つの領域に分け、４つのレンズ１１１ａ〜１１１ｄをそれぞれ通過した光に対して、バンドパスフィルタを通じて所定の波長帯（周波数帯）の光を通過させて、イメージセンサにその光を照射させる。このような構成を有することで、本実施形態に係るセンサモジュール１００は、一度の撮像で異なる波長帯（周波数帯）の光を露光した画像データの生成を可能としている。
【００１６】
以上、本開示の実施の形態に係るセンサモジュールの外観例について説明した。続いて、本開示の実施の形態に係るセンサモジュールの内部構造について分解斜視図を用いて説明する。
【００１７】
図２は、本開示の実施の形態に係るセンサモジュールの内部構造を分解斜視図で示す説明図である。以下、図２を用いて本開示の実施の形態に係るセンサモジュールの内部構造について説明する。
【００１８】
上述したように、ハウジング１１０は４つのレンズ１１１ａ〜１１１ｄが設けられる。そしてハウジング１１０の内部は、図２に示したように４つの領域１１０ａ〜１１０ｄに分けられている。
【００１９】
バンドパスフィルタ１１２は、４つのレンズ１１１ａ〜１１１ｄを通過した光に対して、所定の周波数帯波長帯（周波数帯）の光を通過させる。そして本実施形態では、バンドパスフィルタ１１２は、それぞれ異なる通過パターンを有する４つのバンドパスフィルタ１１２ａ〜１１２ｄからなる。レンズ１１１ａを通過した光はバンドパスフィルタ１１２ａを通過する。同様に、レンズ１１１ｂを通過した光はバンドパスフィルタ１１２ｂを、レンズ１１１ｃを通過した光はバンドパスフィルタ１１２ｃを、レンズ１１１ｄを通過した光はバンドパスフィルタ１１２ｄを、それぞれ通過する。バンドパスフィルタ１１２を通過した光はイメージセンサ１２１に照射される。
【００２０】
イメージセンサ１２１は、例えばＣＣＤ（Ｃｈａｒｇｅ  Ｃｏｕｐｌｅｄ  Ｄｅｖｉｃｅ；電荷結合素子）やＣＭＯＳ（Ｃｏｍｐｌｅｍｅｎｔａｒｙ  ｍｅｔａｌ−ｏｘｉｄｅ−ｓｅｍｉｃｏｎｄｕｃｔｏｒ；相補型ＭＯＳ）で構成される撮像素子を備えるイメージセンサであり、バンドパスフィルタ１１２を通過した光を電気信号に変換する。本実施形態では、イメージセンサ１２１は４つの領域１２１ａ〜１２１ｄに分けられており、それぞれ、バンドパスフィルタ１１２ａ〜１１２ｄを通過した光を電気信号に変換する。またイメージセンサ１２１には撮像素子の上部にカラーフィルタを備える。
【００２１】
以上、本開示の実施の形態に係るセンサモジュールの内部構造について分解斜視図を用いて説明した。続いて、本開示の実施の形態に係るセンサモジュールに備えられている、イメージセンサ１２１の有効領域について説明する。ここでイメージセンサ１２１の有効領域とは、レンズを通じて光が照射される領域のことをいう。
【００２２】
図３は、イメージセンサ１２１の有効領域について示す説明図であり、センサモジュール１００をレンズ１１１ａ〜１１１ｄが設けられている側から見ている様子を示した図である。図３に示したように、レンズ１１１ａ〜１１１ｄが設けられていることにより、イメージセンサ１２１には４つの有効領域１２２ａ〜１２２ｄが存在することになる。イメージセンサ１２１は、有効領域１２２ａ〜１２２ｄに対して照射された光を光電変換することで画像データを生成する。
【００２３】
なお、このようにイメージセンサ１２１の上にレンズ１１１ａ〜１１１ｄが設けられる場合、レンズ１１１ａ〜１１１ｄを通過する入射光を効率よくイメージセンサ１２１に照射させるために瞳補正が行われても良い。瞳補正は、レンズ１１１ａ〜１１１ｄの中央部と周辺部とで、光線の入射角に合わせてレンズ１１１ａ〜１１１ｄを調整する補正である。
【００２４】
［１．２．センサモジュールの機能］
続いて、本開示の実施の形態に係るセンサモジュールの機能について説明する。上述したように、本開示の実施の形態に係るセンサモジュール１００は、異なる通過パターンを有する４つのバンドパスフィルタ１１２ａ〜１１２ｄからなるバンドパスフィルタ１１２を備える。バンドパスフィルタ１１２ａ〜１１２ｄは、それぞれ、所定の範囲の波長帯の光を通過させ、その他の波長帯の光を減衰させるバンドパスフィルタ、またはそのようなバンドパスフィルタの組み合わせで構成される。
【００２５】
通常のセンサモジュールは、光の三原色に対応した青、緑、赤のカラーフィルタがベイヤー配列で設けられる。本実施形態のイメージセンサ１２１では、カラーフィルタとして、上記の青、緑、赤の光の三原色によるものではなく、後述するように、所望の周波数帯の成分を抽出するための、各領域について異なる配列としたカラーフィルタを備えることを特徴としている。
【００２６】
図４は、光の三原色に対応した青、緑、赤のカラーフィルタの特性例と、本開示の実施の形態に係るセンサモジュール１００で用いられるバンドパスフィルタの特性例と、をグラフで示す説明図である。符号１３１は、青のカラーフィルタの特性、符号１３２は、緑のカラーフィルタの特性、符号１３３は、赤のカラーフィルタの特性である。これに対し、符号１４１〜１４７は、本開示の実施の形態に係るセンサモジュール１００で用いられるバンドパスフィルタの特性例である。以下の説明では、センサモジュール１００で用いられるバンドパスフィルタについて、波長が短いものから順にＢＰＦ１、ＢＰＦ２、・・・、ＢＰＦ７とする。そしてバンドパスフィルタ１１２ａ〜１１２ｄは、このＢＰＦ１〜ＢＰＦ７の中から少なくとも１つを有する。
【００２７】
例えば、５００ｎｍ〜５５０ｎｍは、野菜や植物の葉緑素を可視化しやすい波長帯である。従って、野菜や植物の葉緑素を可視化する用途でセンサモジュール１００を用いたい場合は、ＢＰＦ３を含んだバンドパスフィルタを作成してセンサモジュール１００に組み込むことが望ましい。
【００２８】
また例えば、５５０ｎｍ〜６００ｎｍは、食肉が古くなると茶色を呈する原因物質であるメトミオグロビンを可視化しやすい波長帯であり、すなわち食肉の劣化を可視化しやすい波長帯である。従って、食肉の劣化を可視化する用途でセンサモジュール１００を用いたい場合は、ＢＰＦ４を含んだバンドパスフィルタを作成してセンサモジュール１００に組み込むことが望ましい。
【００２９】
また例えば、６００ｎｍ〜６５０ｎｍは、トマトなどに含まれるリコピンを可視化しやすい波長帯である。従って、リコピンを可視化する用途でセンサモジュール１００を用いたい場合は、ＢＰＦ５を含んだバンドパスフィルタを作成してセンサモジュール１００に組み込むことが望ましい。
【００３０】
また例えば、６５０ｎｍ〜７００ｎｍは、食肉の鮮度に関する成分を可視化しやすい波長帯である。従って、食肉の鮮度に関する成分を可視化する用途でセンサモジュール１００を用いたい場合は、ＢＰＦ６を含んだバンドパスフィルタを作成してセンサモジュール１００に組み込むことが望ましい。
【００３１】
また例えば、８００ｎｍ〜９００ｎｍは、野菜や植物に含まれる水分を可視化しやすい波長帯である。従って、野菜や植物に含まれる水分を可視化する用途でセンサモジュール１００を用いたい場合は、ＢＰＦ７を含んだバンドパスフィルタを作成してセンサモジュール１００に組み込むことが望ましい。
【００３２】
そして本実施形態に係るセンサモジュール１００は、バンドパスフィルタ１１２が複数のバンドパスフィルタ１１２ａ〜１１２ｄで構成されていることで、これらの用途を１つのセンサモジュール１００で対応することが出来る。
【００３３】
しかし、イメージセンサ１２１に設けるカラーフィルタを、青、緑、赤の光の三原色を用いたベイヤー配列のカラーフィルタとすると、バンドパスフィルタ１１２を通過した光に対して感度が低いものが存在することになってしまう。例えば、緑のカラーフィルタに割り当てられた画素は、ＢＰＦ１が通過させる４００ｎｍ〜４５０ｎｍや、ＢＰＦ５が通過させる６００ｎｍ〜６５０ｎｍの帯域の波長では感度が得られない。従って、ＢＰＦ１やＢＰＦ５が設けられた領域については、緑色の画素からは殆ど情報を得られない。従って、緑色の画素が無駄になってしまう。
【００３４】
そこで本実施形態に係るセンサモジュール１００は、それぞれのバンドパスフィルタ１１２ａ〜１１２ｄを通過した光に対し、上述の７つの周波数帯の成分を分離するために、また、バンドパスフィルタ１１２ａ〜１１２ｄを通過した光の情報を効率よく得るために、それぞれのバンドパスフィルタ１１２ａ〜１１２ｄが通過させる周波数帯に対応するようなカラーフィルタが、イメージセンサ１２１に設けられる。すなわち、ベイヤー配列のカラーフィルタに比べ、バンドパスフィルタ１１２ａ〜１１２ｄを通過した光の情報が得られる画素の数を増加させたカラーフィルタがイメージセンサ１２１に設けられる。
【００３５】
本実施形態に係るセンサモジュール１００は、上述した用途以外にも、バンドパスフィルタの組み合わせを変えることで様々な用途に対応することが可能となる。例えば、単に画像処理を行うだけでは、人の顔なのか、精巧に作られた人形やマネキンの顔なのかを判別することが難しい場合、ある波長付近で皮膚の分光反射率が変化することを利用して、その波長の光を透過させるバンドパスフィルタをセンサモジュール１００に設けてもよい。このように、皮膚の分光反射率が変化する波長の光を透過させるバンドパスフィルタを設けることで、本実施形態に係るセンサモジュール１００は、生体認証に用いられうる。
【００３６】
図５は、バンドパスフィルタ１１２ａ〜１１２ｄとして構成されているバンドパスフィルタ及びそれぞれのバンドパスフィルタ１１２ａ〜１１２ｄに対応してイメージセンサ１２１に設けられるカラーフィルタの例を示す説明図である。図５に示した例では、バンドパスフィルタ１１２ａはＢＰＦ１及びＢＰＦ４からなる。同様に、バンドパスフィルタ１１２ｂはＢＰＦ２及びＢＰＦ５からなる。また同様に、バンドパスフィルタ１１２ｃはＢＰＦ３及びＢＰＦ６からなる。また同様に、バンドパスフィルタ１１２ｄはＢＰＦ７からなる。
【００３７】
そして、イメージセンサ１２１に設けられるカラーフィルタは、バンドパスフィルタ１１２ａ〜１１２ｄのそれぞれが通過させる周波数帯の成分を得られるように形成される。バンドパスフィルタ１１２ａはＢＰＦ１及びＢＰＦ４からなるので、バンドパスフィルタ１１２ａの領域には、青色のカラーフィルタと対になる画素と、カラーフィルタの無い画素（白黒画素）とが市松模様に配置されている。バンドパスフィルタ１１２ｂはＢＰＦ２及びＢＰＦ５からなるので、バンドパスフィルタ１１２ｂの領域には、赤色のカラーフィルタと対になる画素と、青色のカラーフィルタと対になる画素とが市松模様に配置されている。バンドパスフィルタ１１２ｃはＢＰＦ３及びＢＰＦ６からなるので、バンドパスフィルタ１１２ｃの領域には、緑色のカラーフィルタと対になる画素と、赤色のカラーフィルタと対になる画素とが市松模様に配置されている。バンドパスフィルタ１１２ｄはＢＰＦ７からなるので、バンドパスフィルタ１１２ｃの領域には、カラーフィルタの無い画素（白黒画素）が配置されている。
【００３８】
このように、バンドパスフィルタ１１２ａ〜１１２ｄのそれぞれが通過させる周波数帯の成分を得られるようにカラーフィルタが形成されることで、本実施形態に係るセンサモジュール１００は、それぞれの周波数帯の成分を効率よく抽出することが出来る画素配列としている。そして本実施形態に係るセンサモジュール１００は、一度の撮像によって、所望する７つの周波数帯の成分を、４種類のバンドパスフィルタと、通常の青、緑、赤の光の三原色を用いたカラーフィルタとによって抽出することができる。
【００３９】
図６〜図９は、バンドパスフィルタ１１２ａの特性例を示す説明図である。バンドパスフィルタ１１２ａはＢＰＦ１及びＢＰＦ４からなるので、図６に示したような波長帯の光を通過させ、その他の波長帯の光を減衰させる。バンドパスフィルタ１１２ｂはＢＰＦ２及びＢＰＦ５からなるので、図７に示したような波長帯の光を通過させ、その他の波長帯の光を減衰させる。バンドパスフィルタ１１２ｃはＢＰＦ３及びＢＰＦ６からなるので、図８に示したような波長帯の光を通過させ、その他の波長帯の光を減衰させる。そしてバンドパスフィルタ１１２ｄはＢＰＦ７からなるので、図９に示したような波長帯の光を通過させ、その他の波長帯の光を減衰させる。
【００４０】
上述した４通りのバンドパスフィルタ及びカラーフィルタが、１枚のイメージセンサ１２１に重ねられていることで、本実施形態に係るセンサモジュール１００は、少なくとも４通りの用途に応じた画像データを生成することが出来る。
【００４１】
別の例を示す。この例では、領域１１０ａのバンドパスフィルタ１１２ａはＢＰＦ１及びＢＰＦ５からなり、領域１１０ｂのバンドパスフィルタ１１２ｂはＢＰＦ２及びＢＰＦ６からなり、領域１１０ｃのバンドパスフィルタ１１２ｃはＢＰＦ３及びＢＰＦ７からなり、領域１１０ｄのバンドパスフィルタ１１２ｄはＢＰＦ４からなるとする。
【００４２】
この場合、バンドパスフィルタ１１２ａの領域には、青色のカラーフィルタと対になる画素と、赤色のカラーフィルタと対になる画素とを市松模様に配置する。バンドパスフィルタ１１２ｂの領域には、青色のカラーフィルタと対になる画素と、赤色のカラーフィルタと対になる画素とを市松模様に配置する。バンドパスフィルタ１１２ｃの領域には、緑色のカラーフィルタと対になる画素と、カラーフィルタの無い画素（白黒画素）とを市松模様に配置する。バンドパスフィルタ１１２ｄの領域には、カラーフィルタの無い画素（白黒画素）を配置する。このようにイメージセンサ１２１にカラーフィルタを形成することで、センサモジュール１００は、一度の撮像によって、所望する７つの周波数帯の成分を、４種類のバンドパスフィルタと、通常の青、緑、赤の光の三原色を用いたカラーフィルタとによって抽出することができる。
【００４３】
別の例を示す。この例でも同様に、領域１１０ａのバンドパスフィルタ１１２ａはＢＰＦ１及びＢＰＦ５からなり、領域１１０ｂのバンドパスフィルタ１１２ｂはＢＰＦ２及びＢＰＦ６からなり、領域１１０ｃのバンドパスフィルタ１１２ｃはＢＰＦ３及びＢＰＦ７からなり、領域１１０ｄのバンドパスフィルタ１１２ｄはＢＰＦ４からなるとする。
【００４４】
この場合、バンドパスフィルタ１１２ａの領域には、赤色のカラーフィルタと対になる画素と、カラーフィルタのない画素（白黒画素）とを市松模様に配置する。ＢＰＦ５の周波数帯の成分は赤色のカラーフィルタと対になる画素によって抽出することができる。一方、ＢＰＦ１の周波数帯の成分は、カラーフィルタのない画素（白黒画素）によって得られたものから、赤色のカラーフィルタと対になる画素によって得られたものを引くことで抽出することができる。
【００４５】
また、バンドパスフィルタ１１２ｂの領域には、青色のカラーフィルタと対になる画素と、カラーフィルタのない画素（白黒画素）とを市松模様に配置する。ＢＰＦ２の周波数帯の成分は青色のカラーフィルタと対になる画素によって抽出することができる。一方、ＢＰＦ６の周波数帯の成分は、カラーフィルタのない画素（白黒画素）によって得られたものから、青色のカラーフィルタと対になる画素によって得られたものを引くことで抽出することができる。
【００４６】
また、バンドパスフィルタ１１２ｃの領域には、緑色のカラーフィルタと対になる画素と、カラーフィルタのない画素（白黒画素）とを市松模様に配置する。ＢＰＦ３の周波数帯の成分は緑色のカラーフィルタと対になる画素によって抽出することができる。一方、ＢＰＦ７の周波数帯の成分は、カラーフィルタのない画素（白黒画素）によって抽出することができる。また、バンドパスフィルタ１１２ｄの領域には、カラーフィルタのない画素（白黒画素）を配置する。ＢＰＦ４の周波数帯の成分はラーフィルタのない画素（白黒画素）によって抽出することができる。
【００４７】
このように、本開示の実施の形態に係るセンサモジュール１００は、カラーフィルタを適切に組み合わせることで、所望の周波数帯の成分を効率よく抽出することが可能となる。
【００４８】
［１．３．センサモジュールを備えた装置の構成例］
続いて、本開示の実施の形態に係るセンサモジュール１００が組み込まれる情報処理装置の機能構成例について説明する。
【００４９】
図１０は、本開示の実施の形態に係るセンサモジュール１００が組み込まれた情報処理装置１０００の機能構成例を示す説明図である。図１０に示したように、情報処理装置１０００は、センサモジュール１００と、画像処理部１０１０と、制御部１０２０と、表示部１０３０と、通信部１０４０と、入力部１０５０と、記憶部１０６０と、を含んで構成される。
【００５０】
センサモジュール１００によって生成された画像データは画像処理部１０１０に送られる。画像処理部１０１０は、ＧＰＵ（Ｇｒａｐｈｉｃｓ  Ｐｒｏｃｅｓｓｉｎｇ  Ｕｎｉｔ）等の画像処理を実行する回路を含み、センサモジュール１００が出力した画像データに対する各種画像処理を実行するものであり、例えば、ノイズ除去、イメージセンサ１２１の領域１２１ａ〜１２１ｄ毎の画像データへの分割などを行う。画像処理部１０１０は、画像処理後の画像データを制御部１０２０に出力する。
【００５１】
制御部１０２０は、ＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）等を含んで構成され、情報処理装置１０００の動作を制御する。
【００５２】
表示部１０３０は、例えば、液晶ディスプレイや有機ＥＬディスプレイで構成される。表示部１０３０はユーザが画面を直接触って操作するためのタッチパネルが備えられていても良い。通信部１０４０は、例えばセルラー通信を行ったり、無線ＬＡＮ等に接続したり、赤外線通信やＢｌｕｅｔｏｏｔｈ（登録商標）等の無線通信規格を用いたりして、他の装置との間で通信処理を実行する。入力部１０５０は、ユーザに入力操作を行わせるためのデバイスであり、例えばキーボードやマウス、タッチパネルなどで構成されうる。記憶部１０６０は、例えば不揮発性または揮発性のメモリで構成され、情報処理装置１０００の動作に必要なプログラムやデータを保持したり、情報処理装置１０００の動作のログを記憶したりする。
【００５３】
なお図１０には、本開示の実施の形態に係るセンサモジュール１００のみが組み込まれた情報処理装置１０００を図示しているが、本開示は係る例に限定されるものではなく、情報処理装置１０００には、センサモジュール１００に加え、通常のベイヤー配列のカラーフィルタを備えたセンサモジュールが組み込まれても良い。
【００５４】
情報処理装置１０００は、本開示の実施の形態に係るセンサモジュール１００を備えることで、一度の撮像処理で、様々な用途で用いるための画像データを得ることができる。例えば、上述したように野菜や植物の葉緑素や水分の状態を可視化したり、食肉の劣化や鮮度に関する成分を可視化したりするために、本開示の実施の形態に係るセンサモジュール１００を備える情報処理装置１０００を使用することができる。
【００５５】
＜２．まとめ＞
以上説明したように本開示の実施の形態によれば、一度の撮像処理で、異なる波長帯（周波数帯）の光を露光した画像データの生成を可能としたセンサモジュール１００、およしそのようなセンサモジュール１００を備えた情報処理装置１０００が提供される。
【００５６】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００５７】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００５８】
なお、以下のような構成も本開示の技術的範囲に属する。
（１）
光を集光する複数のレンズと、
前記複数のレンズを通過する光がそれぞれ照射され、異なる前記光の波長帯を透過させる透過パターンからなる複数の領域を有するフィルタ部と、
前記フィルタ部を透過した光を電気信号に変換する画素がマトリクス状に配置され、前記画素の前記フィルタ部の側に前記透過パターンに対応するカラーフィルタを備えるイメージセンサと、
を備える、固体撮像装置。
（２）
前記透過パターンは、それぞれ異なる波長帯を透過させるバンドパスフィルタの中から少なくとも１つが選択された、前記（１）に記載の固体撮像装置。
（３）
前記透過パターンは、それぞれ異なる波長帯を透過させるバンドパスフィルタの中から、波長帯が隣接しない２つのバンドパスフィルタが選択された、前記（２）に記載の固体撮像装置。
（４）
前記バンドパスフィルタが透過させる波長帯は、少なくとも５０ｎｍ刻みに設定される、前記（２）または（３）に記載の固体撮像装置。
（５）
前記カラーフィルタは、前記イメージセンサの各前記画素に対応して形成される、前記（）〜（４）のいずれかに記載の固体撮像装置。
（６）
前記（１）〜（５）のいずれかに記載の固体撮像装置を備える、情報処理装置。
【符号の説明】
【００５９】
１００    ：センサモジュール
１１０    ：ハウジング
１１１ａ  ：レンズ
１１１ｂ  ：レンズ
１１１ｃ  ：レンズ
１１１ｄ  ：レンズ
１１２    ：バンドパスフィルタ
１１２ａ  ：バンドパスフィルタ
１１２ｂ  ：バンドパスフィルタ
１１２ｃ  ：バンドパスフィルタ
１１２ｄ  ：バンドパスフィルタ
１２０    ：リジッドフレキシブル基板
１２１    ：イメージセンサ
１２１ａ  ：領域
１２１ｂ  ：領域
１２１ｃ  ：領域
１２１ｄ  ：領域
１２２ａ  ：有効領域
１２２ｂ  ：有効領域
１２２ｃ  ：有効領域
１２２ｄ  ：有効領域
１０００  ：情報処理装置
【図１】
2018182255.tif 000003
【図２】
2018182255.tif 000004
【図３】
2018182255.tif 000005
【図４】
2018182255.tif 000006
【図５】
2018182255.tif 000007
【図６】
2018182255.tif 000008
【図７】
2018182255.tif 000009
【図８】
2018182255.tif 000010
【図９】
2018182255.tif 000011
【図１０】
2018182255.tif 000012